(57)【要約】  厚さ方向の一端面であってペリクル膜が支持される側の一端面に設けられた溝と、外周面と前記一端面に設けられた溝の壁面との間を貫通する貫通孔と、を有する枠本体を備える、ペリクル枠。
2015166927.tif 000002
【特許請求の範囲】
【請求項１】
厚さ方向の一端面であってペリクル膜が支持される側の一端面に設けられた溝と、外周面と前記一端面に設けられた溝の壁面との間を貫通する貫通孔と、を有する枠本体を備える、ペリクル枠。
【請求項２】
前記枠本体は、更に、厚さ方向の他端面に設けられた溝と、外周面と前記他端面に設けられた溝の壁面との間を貫通する貫通孔と、を有する、請求項１に記載のペリクル枠。
【請求項３】
更に、前記一端面に接する接着剤層を備える、請求項１又は請求項２に記載のペリクル枠。
【請求項４】
請求項１〜請求項３のいずれか１項に記載のペリクル枠である第１ペリクル枠と、
前記第１ペリクル枠の前記枠本体の前記一端面の側に支持されたペリクル膜と、
を備える、ペリクル。
【請求項５】
前記ペリクル膜が、結晶シリコン、ダイヤモンドライクカーボン、グラファイト、アモルファスカーボン、グラフェン、炭化ケイ素、窒化ケイ素、及び窒化アルミニウムからなる群から選択される少なくとも１種の無機系材料を含む、請求項４に記載のペリクル。
【請求項６】
前記ペリクル膜の厚さが、１０ｎｍ〜２００ｎｍである、請求項４又は請求項５に記載のペリクル。
【請求項７】
前記第１ペリクル枠と前記ペリクル膜との間に、前記ペリクル膜に接する第２ペリクル枠を備える、請求項４〜請求項６のいずれか１項に記載のペリクル。
【請求項８】
前記ペリクル膜としてのシリコン結晶膜と前記第２ペリクル枠としての枠形状のシリコン基板とからなる複合部材を備える、請求項７に記載のペリクル。
【請求項９】
請求項１〜請求項３のいずれか１項に記載のペリクル枠とペリクル膜とを、前記枠本体の前記一端面と前記ペリクル膜とが対向するように配置する配置工程と、
前記外周面と前記一端面に設けられた溝の壁面との間を貫通する貫通孔を通じ、前記一端面に設けられた溝の内部を減圧することにより、前記ペリクル枠と前記ペリクル膜とを固定する固定工程と、
を有する、ペリクルの製造方法。
【請求項１０】
前記固定工程における前記減圧は、前記ペリクル枠及び前記ペリクル膜が加圧雰囲気下に配置された状態で行う、請求項９に記載のペリクルの製造方法。
【請求項１１】
請求項４〜請求項８のいずれか１項に記載のペリクルと、
前記ペリクルの前記第１ペリクル枠の側に配置された原版と、
を備える、露光原版。
【請求項１２】
前記第１ペリクル枠の前記枠本体は、更に、厚さ方向の他端面に設けられた溝と、外周面と前記他端面に設けられた溝の壁面との間を貫通する貫通孔と、を有する、請求項１１に記載の露光原版。
【請求項１３】
請求項４〜請求項８のいずれか１項に記載のペリクルであって、前記第１ペリクル枠の前記枠本体が、更に、厚さ方向の他端面に設けられた溝、及び、外周面と前記他端面に設けられた溝の壁面との間を貫通する貫通孔を有するペリクルと、原版と、を前記他端面と前記原版とが対向するように配置する配置工程と、
前記外周面と前記他端面に設けられた溝の壁面との間を貫通する貫通孔を通じ、前記他端面に設けられた溝の内部を減圧することにより、前記ペリクルと前記原版とを固定する固定工程と、
を有する、露光原版の製造方法。
【請求項１４】
前記固定工程における前記減圧は、前記ペリクル及び前記原版が加圧雰囲気下に配置された状態で行う、請求項１３に記載の露光原版の製造方法。
【請求項１５】
請求項１１又は請求項１２に記載の露光原版を備える、露光装置。
【請求項１６】
露光光を放出する光源と、
請求項１１又は請求項１２に記載の露光原版と、
前記光源から放出された露光光を前記露光原版に導く光学系と、
を有し、
前記露光原版は、前記光源から放出された露光光が前記ペリクル膜を透過して前記原版に照射されるように配置されている、露光装置。
【請求項１７】
前記露光光が、ＥＵＶ光である、請求項１６に記載の露光装置。
【請求項１８】
光源から放出された露光光を、請求項１１又は請求項１２に記載の露光原版の前記ペリクル膜を透過させて前記原版に照射し、前記原版で反射させるステップと、
前記原版によって反射された露光光を、前記ペリクル膜を透過させて感応基板に照射することにより、前記感応基板をパターン状に露光するステップと、
を有する、半導体装置の製造方法。
【請求項１９】
前記露光光が、ＥＵＶ光である、請求項１８に記載の半導体装置の製造方法。
【発明の詳細な説明】
【技術分野】
【０００１】
本発明は、ペリクル枠、ペリクル及びその製造方法、露光原版及びその製造方法、露光装置、並びに半導体装置の製造方法に関する。
【背景技術】
【０００２】
半導体デバイス（半導体装置）の高集積化及び微細化は、年々加速している。
例えば、現在では、エキシマ露光にて線幅４５ｎｍ程度のパターンが形成されているが、近年では、半導体デバイスのさらなる微細化に伴い、線幅３２ｎｍ以下のパターンの形成が求められている。このような微細加工は、従来のエキシマ露光では対応が難しい。そこで、露光光をより短波長のＥＵＶ（Extreme Ultra Violet：極端紫外）光に替えることが検討されている。【０００３】
ＥＵＶ光は、あらゆる物質に吸収されやすい特性を有する。
そこで、露光光としてＥＵＶ光を用いるフォトリソグラフィー（以下、「ＥＵＶリソグラフィー」ともいう）では、反射光学系を用いて露光を行う。具体的には、露光パターンが反映された原版によってＥＵＶ光を反射させ、反射光としてのＥＵＶ光によってレジストを露光する。この際、原版に異物が付着していると、ＥＵＶ光が異物に吸収されたり、ＥＵＶ光が散乱するため、所望のパターンに露光されない場合がある。
そこで、原版のＥＵＶ光照射面を、ペリクルで保護することが検討されている。
ペリクルの構成は、原版のＥＵＶ光照射面を保護するためのペリクル膜と、このペリクル膜を支持するペリクル枠（枠本体）と、を有する構成となっている。【０００４】
ＥＵＶリソグラフィーに用いられるペリクル膜としては、ＥＵＶ光に対して高い透過性を有すること、ＥＵＶ光の照射によって分解・変形しないことが求められる。このような要求を満たすペリクル膜として、単結晶シリコン膜等のシリコン結晶膜（例えば、下記文献１及び２参照）、金属メッシュ上に積層された窒化アルミニウム膜（例えば、下記文献３参照）、グラフェン膜（例えば、下記文献４参照）、等が提案されている。【０００５】
文献１：特開２０１０−２５６４３４号公報
文献２：特開２００９−１１６２８４号公報
文献３：特開２００５−４３８９５号公報
文献４：国際公開第２０１１／１６０８６１号
【発明の概要】
【発明が解決しようとする課題】
【０００６】
ところで、一般に、ペリクル膜は、非常に破れやすい性質を有している。このため、ペリクル膜の取り扱いには、細心の注意が求められる。ペリクル膜の中でも、無機系材料を含むペリクル膜（例えば、上記文献１〜４に記載のペリクル膜）は、破れやすく、自立しにくい膜であるだけでなく、機械的な接触によっても傷や発塵の原因となる膜である。このため、無機系材料を含むペリクル膜（例えば、上記文献１〜４に記載のペリクル膜）の取扱いには、より一層の注意が求められる。
また、半導体デバイスの微細化に伴い、ペリクル膜、ペリクル枠、原版といった部材に異物が付着しないようにするために、より一層の注意が求められる。【０００７】
以上の観点から、ペリクル枠と他の部材（例えば、ペリクル膜、他のペリクル枠、原版等）とを固定する際に、ペリクル枠及び他の部材の各々の前面及び背面を、装置、治具、手などによって接触しないにようにして両者を固定する方法について検討を行った。
ここで、ペリクル枠について、「前面」とは、厚さ方向の一端面及び他端面のうちの一方を指し、「背面」とは、厚さ方向の一端面及び他端面のうちの他方を指す。
また、ペリクル膜について、「前面」及び「背面」とは、一方の膜面及び他方の膜面を指す。
原版について、「前面」とは、光照射面を指し、「背面」とは、光照射面とは反対側の面を指す。【０００８】
本発明は上記に鑑みなされたものであり、以下の目的を達成することを課題とする。
即ち、本発明の目的は、ペリクル枠とペリクル膜とを直接又は他の部材（例えば他のペリクル枠）を介して固定してペリクルを製造する際に、ペリクル枠及びペリクル膜の各々の前面及び背面に接触することなく両者を固定できるペリクル枠、上記ペリクル枠を備えたペリクル、上記ペリクルを備えた露光原版、並びに、上記露光原版を用いた露光装置及び半導体装置の製造方法を提供することである。
また、本発明の目的は、ペリクル枠及びペリクル膜の各々の前面及び背面に接触することなくペリクルを製造することができるペリクルの製造方法、並びに、ペリクル及び原版の各々の前面及び背面に接触することなく露光原版を製造することができる露光原版の製造方法を提供することである。
【課題を解決するための手段】
【０００９】
上記課題を解決するための具体的手段は以下の通りである。【００１０】
＜１＞  厚さ方向の一端面であってペリクル膜が支持される側の一端面に設けられた溝と、外周面と前記一端面に設けられた溝の壁面との間を貫通する貫通孔と、を有する枠本体を備える、ペリクル枠。
＜２＞  前記枠本体は、更に、厚さ方向の他端面に設けられた溝と、外周面と前記他端面に設けられた溝の壁面との間を貫通する貫通孔と、を有する、＜１＞に記載のペリクル枠。
＜３＞  更に、前記一端面に接する接着剤層を備える、＜１＞又は＜２＞に記載のペリクル枠。【００１１】
＜４＞  ＜１＞〜＜３＞のいずれか１項に記載のペリクル枠である第１ペリクル枠と、
前記第１ペリクル枠の前記枠本体の前記一端面の側に支持されたペリクル膜と、
を備える、ペリクル。
＜５＞  前記ペリクル膜が、結晶シリコン、ダイヤモンドライクカーボン、グラファイト、アモルファスカーボン、グラフェン、炭化ケイ素、窒化ケイ素、及び窒化アルミニウムからなる群から選択される少なくとも１種の無機系材料を含む、＜４＞に記載のペリクル。
＜６＞  前記ペリクル膜の厚さが、１０ｎｍ〜２００ｎｍである、＜４＞又は＜５＞に記載のペリクル。
＜７＞  前記第１ペリクル枠と前記ペリクル膜との間に、前記ペリクル膜に接する第２ペリクル枠を備える、＜４＞〜＜６＞のいずれか１項に記載のペリクル。
＜８＞  前記ペリクル膜としてのシリコン結晶膜と前記第２ペリクル枠としての枠形状のシリコン基板とからなる複合部材を備える、＜７＞に記載のペリクル。【００１２】
＜９＞  ＜１＞〜＜３＞のいずれか１項に記載のペリクル枠とペリクル膜とを、前記枠本体の前記一端面と前記ペリクル膜とが対向するように配置する配置工程と、
前記外周面と前記一端面に設けられた溝の壁面との間を貫通する貫通孔を通じ、前記一端面に設けられた溝の内部を減圧することにより、前記ペリクル枠と前記ペリクル膜とを固定する固定工程と、
を有する、ペリクルの製造方法。
＜１０＞  前記固定工程における前記減圧は、前記ペリクル枠及び前記ペリクル膜が加圧雰囲気下に配置された状態で行う、＜９＞に記載のペリクルの製造方法。【００１３】
＜１１＞  ＜４＞〜＜８＞のいずれか１項に記載のペリクルと、
前記ペリクルの前記第１ペリクル枠の側に配置された原版と、
を備える、露光原版。
＜１２＞  前記第１ペリクル枠の前記枠本体は、更に、厚さ方向の他端面に設けられた溝と、外周面と前記他端面に設けられた溝の壁面との間を貫通する貫通孔と、を有する、＜１１＞に記載の露光原版。【００１４】
＜１３＞  ＜４＞〜＜８＞のいずれか１項に記載のペリクルであって、前記第１ペリクル枠の前記枠本体が、更に、厚さ方向の他端面に設けられた溝、及び、外周面と前記他端面に設けられた溝の壁面との間を貫通する貫通孔を有するペリクルと、原版と、を前記他端面と前記原版とが対向するように配置する配置工程と、
前記外周面と前記他端面に設けられた溝の壁面との間を貫通する貫通孔を通じ、前記他端面に設けられた溝の内部を減圧することにより、前記ペリクルと前記原版とを固定する固定工程と、
を有する、露光原版の製造方法。
＜１４＞  前記固定工程における前記減圧は、前記ペリクル及び前記原版が加圧雰囲気下に配置された状態で行う、＜１３＞に記載の露光原版の製造方法。【００１５】
＜１５＞  ＜１１＞又は＜１２＞に記載の露光原版を備える、露光装置。
＜１６＞  露光光を放出する光源と、
＜１１＞又は＜１２＞に記載の露光原版と、
前記光源から放出された露光光を前記露光原版に導く光学系と、
を有し、
前記露光原版は、前記光源から放出された露光光が前記ペリクル膜を透過して前記原版に照射されるように配置されている、露光装置。
＜１７＞  前記露光光が、ＥＵＶ光である、＜１６＞に記載の露光装置。
＜１８＞  光源から放出された露光光を、＜１１＞又は＜１２＞に記載の露光原版の前記ペリクル膜を透過させて前記原版に照射し、前記原版で反射させるステップと、
前記原版によって反射された露光光を、前記ペリクル膜を透過させて感応基板に照射することにより、前記感応基板をパターン状に露光するステップと、
を有する、半導体装置の製造方法。
＜１９＞  前記露光光が、ＥＵＶ光である、＜１８＞に記載の半導体装置の製造方法。
【発明の効果】
【００１６】
本発明によれば、ペリクル枠とペリクル膜とを直接又は他の部材を介して固定してペリクルを製造する際に、ペリクル枠及びペリクル膜の各々の前面及び背面に接触することなく両者を固定できるペリクル枠、上記ペリクル枠を備えたペリクル、上記ペリクルを備えた露光原版、並びに、上記露光原版を用いた露光装置及び半導体装置の製造方法が提供される。
また、本発明によれば、ペリクル枠及びペリクル膜の各々の前面及び背面に接触することなくペリクルを製造することができるペリクルの製造方法、並びに、ペリクル及び原版の各々の前面及び背面に接触することなく露光原版を製造することができる露光原版の製造方法が提供される。
【図面の簡単な説明】
【００１７】
【図１】本実施形態の一例であるペリクル枠（枠本体）を、一端面を観察できる方向から見た概略斜視図である。
【図２】本実施形態の一例に係るペリクル枠（枠本体）を、他端面を観察できる方向から見た概略斜視図である。
【図３】図１のＡ−Ａ線断面図である。
【図４】本実施形態の変形例に係るペリクル枠（枠本体）の部分断面図である。
【図５】本実施形態の変形例に係るペリクル枠（枠本体）の概略斜視図である。
【図６】本実施形態の変形例に係るペリクル枠（枠本体）の概略斜視図である。
【図７】本実施形態の変形例に係るペリクル枠（枠本体）の概略斜視図である。
【図８】本実施形態の一例に係るペリクルの概略断面図である。
【図９】本実施形態の露光装置の一例に係るＥＵＶ露光装置の概略断面図である。
【発明を実施するための形態】
【００１８】
以下、適宜、図面を参照しながら、本発明の実施形態について説明する。しかし、本発明は、図面等の具体的な実施形態に限定されることはない。また、各図面に共通の要素については、同一の符号を付すことがあり、重複した説明を省略することがある。また、図面では、構造を見やすくするために、隠れ線の一部を省略することがある。
【００１９】
＜ペリクル枠＞
本実施形態のペリクル枠は、厚さ方向の一端面であってペリクル膜が支持される側の一端面に設けられた溝と、外周面と上記一端面に設けられた溝の壁面との間を貫通する貫通孔と、を有する枠本体を備える。
本実施形態のペリクル枠は、必要に応じ、枠本体以外の要素（例えば後述の接着剤層等）を備えていてもよい。
本実施形態のペリクル枠及び枠本体は、通常のペリクル枠と同様に、ペリクル膜を支持するための枠形状の部材である。
【００２０】
本明細書中において、枠本体の「厚さ方向の一端面であってペリクル膜が支持される側の一端面」とは、枠本体の厚さ方向の二つの端面のうち、ペリクル膜が支持される側の端面を指す。
【００２１】
本実施形態において、上記貫通孔は、枠本体の外周面の一部と、上記一端面に設けられた溝の壁面（側面又は底面。以下同じ。）の一部と、の間を貫通している。このため、本実施形態のペリクル枠の枠本体の上記一端面と、ペリクル膜と、を直接又は他の部材（例えば、後述の第２ペリクル枠等の他のペリクル枠。以下同じ。）を介して対向配置させた状態で、上記貫通孔を通じて上記溝の内部を減圧することにより、ペリクル枠とペリクル膜との間に、押し付け合う力を働かせることができる。このため、ペリクル枠及びペリクル膜の各々の前面及び背面に（装置、治具、手などによって）接触することなく、両者を固定することができる。
従って、本実施形態のペリクル枠によれば、ペリクル枠とペリクル膜とを直接又は他の部材を介して固定してペリクルを製造する際に、ペリクル枠及びペリクル膜の各々の前面及び背面に接触することなく両者を固定できるという効果が奏される。
なお、本実施形態において、「押し付け合う力」は、引き付け合う力と同義である。
【００２２】
本実施形態のペリクル枠を用いることにより、ペリクル枠やペリクル膜に接触することによる、ペリクル枠及びペリクル膜への異物の付着を防止できる。
更に、本実施形態のペリクル枠を用いることにより、ペリクル膜に接触することによる、ペリクル膜の破れ、傷、発塵等を防止できる。
【００２３】
ところで、近年、半導体デバイスの微細化に伴い、ペリクルや原版への異物の付着を抑制する要求が一層強くなっている。
また、線幅３２ｎｍ以下のパターン形成は、例えばＥＵＶリソグラフィーによって行われる。ＥＵＶリソグラフィーに用いられる、無機系材料を含むペリクル膜は、有機系材料を含むペリクル膜と比較して破れやすく、自立しにくく、また、機械的な接触によって傷や発塵を発生しやすい。このため、無機系材料を含むペリクル膜を用いてペリクルを作製する場合には、ペリクル膜の膜面に接触することなくペリクルを作製する要求が大きい。ここで、「自立」とは、単独で膜形状を保持できることを指す。
本実施形態のペリクル枠によれば、半導体デバイスの微細化に伴うこれらの要求に応えることができる。
具体的には、本実施形態のペリクル枠は、特に、波長が短い露光光（例えば、ＥＵＶ光、ＥＵＶ光よりも更に波長が短い光、等）を用いたリソグラフィー用のペリクル、中でも、無機系材料を含むペリクル膜を備えたペリクルの作製に好適である。
【００２４】
本実施形態において、ＥＵＶ（Extreme Ultra Violet：極端紫外）光とは、波長５ｎｍ〜３０ｎｍの光を指す。
ＥＵＶ光の波長は、５ｎｍ〜１３．５ｎｍが好ましい。
本実施形態では、ＥＵＶ光、及び、ＥＵＶ光よりも波長が短い光を総称し、「ＥＵＶ光等」ということがある。
【００２５】
本実施形態のペリクル枠の好ましい態様は、枠本体が、更に、厚さ方向の他端面に設けられた溝と、外周面と上記他端面に設けられた溝の壁面との間を貫通する貫通孔と、を有する態様である。
この態様のペリクル枠は、枠本体の一端面の側にペリクル膜が配置され、他端面の側に原版が配置されてなる、露光原版の作製に好適である。この露光原版の作製では、上記態様のペリクル枠を用いることにより、ペリクル枠及びペリクル膜に接触せずにペリクルを作製でき、かつ、上記ペリクル及び原版に接触せずに露光原版を作製できる。
上記態様のペリクル枠を用いることにより、ペリクル枠及びペリクル膜に接触せずにペリクルを作製できる理由は前述したとおりである。即ち、ペリクル枠の枠本体の外周面と上記一端面に設けられた溝の壁面との間を貫通する貫通孔を通じ、上記一端面に設けられた溝の内部を減圧することにより、ペリクル枠とペリクル膜との間に、押し付け合う力（即ち、引き付け合う力）を働かせることができるためである。
上記態様のペリクル枠を用いることにより、上記ペリクル及び原版に接触せずに露光原版を作製できる理由は、ペリクル枠の枠本体の外周面と上記他端面に設けられた溝の壁面との間を貫通する貫通孔を通じ、上記他端面に設けられた溝の内部を減圧することにより、ペリクルと原版との間に、押し付け合う力（即ち、引き付け合う力）を働かせることができるためである。
【００２６】
（ペリクル枠の一例）
次に、本実施形態のペリクル枠の一例を、図１〜図３を参照しながら説明する。但し、本実施形態のペリクル枠はこの一例によって限定されることはない。
図１は、枠本体１００の一端面１０を観察できる方向から見た概略斜視図であり、図２は、同じ枠本体１００の他端面２０を観察できる方向から見た概略斜視図である。
図３は、図１のＡ−Ａ線断面図である。
【００２７】
図１及び図２に示すように、枠本体１００（ペリクル枠）の形状は、矩形の枠形状である。枠本体１００がペリクルの一部材として用いられたときには、枠本体１００によって囲まれた開口部５０を露光光Ｅが通過する。
枠本体１００の外形は、枠本体１００の厚さ方向の一端面１０と、他端面２０と、４つの面からなる外周面３０と、４つの面からなる内周面４０とによって確定される。
枠本体１００の一端面１０は、枠本体１００を用いて露光原版を作製したときに、ペリクル膜が配置される側の端面であり、枠本体１００の他端面２０は、枠本体１００を用いて露光原版を作製したときに、原版が配置される側の端面である。
なお、枠本体１００の厚さ方向からみた形状は、上述のとおり矩形状であるが、本実施形態の枠本体の厚さ方向からみた形状は矩形状には限定されず、矩形状以外の形状（例えば、台形状、枠の外側部分に出っ張りを有する形状、等）であってもよい。
【００２８】
図１及び図３に示すように、一端面１０には、溝１２が設けられている。
この実施形態において、枠本体１００の厚さ方向から見た溝１２の形状は、枠本体１００の形状に沿って一周する無端形状となっている。
枠本体の厚さ方向から見た溝の形状の変形例については後述する。
【００２９】
枠本体１００は、貫通孔１４Ａ及び貫通孔１４Ｂを有している。
貫通孔１４Ａ及び貫通孔１４Ｂは、それぞれ、溝１２の底面と外周面３０との間を貫通している。
【００３０】
ここで、貫通孔１４Ａ及び１４Ｂは、それぞれ、溝１２の側面と外周面３０との間を貫通していてもよい。
また、貫通孔１４Ａ及び１４Ｂのいずれか一方は、省略されていてもよい。即ち、枠本体１００では、１つの溝（溝１２）に対して２つの貫通孔（貫通孔１４Ａ及び１４Ｂ）が接続しているが、本実施形態はこの態様には限定されない。本実施形態では、１つの溝（溝１２）に対し、少なくとも１つの貫通孔が接続されていればよい。
【００３１】
また、図２及び図３に示すように、一端面１０とは反対側の他端面２０には、溝２２が設けられている。
この実施形態において、溝２２の形状も、溝１２の形状と同様に、厚さ方向から見たときに、枠本体１００の形状に沿って一周する無端形状となっている。
【００３２】
枠本体１００は、貫通孔２４Ａ及び貫通孔２４Ｂを有している。
貫通孔２４Ａ及び貫通孔２４Ｂは、それぞれ、溝２２の底面と外周面３０との間を貫通している。
貫通孔２４Ａ及び２４Ｂのバリエーションについては、貫通孔１４Ａ及び１４Ｂのバリエーションと同様である。
【００３３】
上述した枠本体１００（ペリクル枠）は、一端面１０の側にペリクル膜を固定（支持）してペリクルを作製する用途に好適である。
一端面１０の側にペリクル膜を固定する場合について説明すると、枠本体１００には、ペリクル膜との対向面となる一端面１０に溝１２が設けられ、かつ、この溝１２に接続する貫通孔１４Ａ及び１４Ｂが設けられている。このため、一端面１０にペリクル膜を固定する際に、貫通孔１４Ａ及び１４Ｂを通じて溝１２の内部を（例えば真空ポンプ等の排気手段によって）減圧することにより、枠本体１００とペリクル膜との間の圧力を減圧することができる。この減圧により、枠本体１００とペリクル膜との間に押し付け合う力（即ち、引き付け合う力）を働かせることができるので、枠本体１００及びペリクル膜の各々の前面及び背面（即ち、枠本体１００の一端面１０及び他端面２０、並びに、ペリクル膜の一方の膜面及び他方の膜面）に接触することなく、両者を固定することができる。
上記枠本体１００とペリクル膜との固定は、接着剤層を介して行われてもよい。接着剤層を介した場合には、減圧することで、枠本体１００とペリクル膜とを接着剤層を介して押し付けることができるため、枠本体１００とペリクル膜とをしっかりと固定することができる。
ペリクルの製造方法の具体的な形態については後述する。
【００３４】
また、上述した枠本体１００は、他端面２０の側に原版を固定して露光原版を作製する用途にも好適である。
他端面２０の側に原版を固定する場合について説明すると、枠本体１００には、原版との対向面となる他端面２０に溝２２が設けられ、かつ、この溝２２に接続する貫通孔２４Ａ及び２４Ｂが設けられている。このため、他端面２０に原版を固定する際に、貫通孔２４Ａ及び２４Ｂを通じて溝２２の内部を（例えば真空ポンプ等の排気手段によって）減圧することにより、枠本体１００と原版との間の圧力を減圧することができる。この減圧により、枠本体１００と原版との間に押し付け合う力を働かせることができるので、枠本体１００及び原版の各々の前面及び背面（即ち、枠本体１００の一端面１０及び他端面２０、並びに、原版の光照射面、及び、光照射面とは反対側の面）に接触することなく、両者を固定することができる。上記固定は、接着剤層を介して行われてもよい。その後、枠本体１００の一端面１０側に、（必要に応じ接着剤層を介して）ペリクル膜を固定してもよい。
【００３５】
また、上述した枠本体１００は、まず枠本体１００にペリクル膜を固定してペリクルを作製し、次いで、得られたペリクルと原版とを固定して露光原版を作製する用途にも好適である。この露光原版の作製では、上述のとおり、枠本体１００及びペリクル膜の各々の前面及び背面に接触することなく両者を固定してペリクルを作製することができ、次いで、ペリクル及び原版の各々の前面及び背面に接触することなく両者を固定して露光原版を作製することができる。
【００３６】
枠本体１００の寸法は、例えば、以下の寸法とすることができる。
枠本体１００の長辺方向の長さＬ１は、例えば１３５ｍｍ〜１５３ｍｍとすることができ、１４０ｍｍ〜１５２ｍｍが好ましく、１４５ｍｍ〜１５１ｍｍがより好ましい。
枠本体１００の短辺方向の長さＬ２は、例えば１００ｍｍ〜１３０ｍｍとすることができ、１０５ｍｍ〜１２５ｍｍが好ましく、１１０ｍｍ〜１２０ｍｍがより好ましい。
長辺方向の長さＬ１と短辺方向の長さＬ２とは、同一寸法であってもよい。即ち、枠本体１００の形状は、正方形形状であってもよい。
枠本体１００の枠幅（フレーム幅）Ｗは、例えば１．０ｍｍ〜５．０ｍｍとすることができ、１．２ｍｍ〜３．５ｍｍが好ましく、１．５ｍｍ〜２．５ｍｍがより好ましい。枠幅は、矩形形状の枠本体１００の４辺において、同一の寸法としてもよいし、異なる寸法としてもよい。
また、枠本体１００によって囲まれた開口部５０（貫通孔）の長辺方向の長さは、例えば１３０ｍｍ〜１５２ｍｍとすることができ、１３５ｍｍ〜１５１ｍｍが好ましく、１４０ｍｍ〜１５０ｍｍがより好ましい。
また、開口部５０の幅は、例えば９５ｍｍ〜１３０ｍｍとすることができ、１００ｍｍ〜１２５ｍｍが好ましく、１０５ｍｍ〜１２０ｍｍがより好ましい。
ペリクル枠の厚さｔは、例えば０．５ｍｍ〜５．０ｍｍとすることができ、０．５ｍｍ〜３．０ｍｍが好ましく、０．５ｍｍ〜２．０ｍｍがより好ましい。
【００３７】
また、溝１２及び溝２２の幅は、溝での圧力損失低減、枠本体の枠幅との関係、等を考慮して適宜設定できるが、例えば１０μｍ〜１．０ｍｍとすることができ、５０μｍ〜７００μｍが好ましく、１００μｍ〜６００μｍがより好ましく、２００μｍ〜５００μｍが特に好ましい。
また、溝１２及び溝２２の深さは、溝での圧力損失低減、枠本体の厚さとの関係、等を考慮して適宜設定できるが、例えば１０μｍ〜１．０ｍｍとすることができ、５０μｍ〜７００μｍが好ましく、１００μｍ〜６００μｍがより好ましく、２００μｍ〜５００μｍが特に好ましい。
【００３８】
また、貫通孔１４Ａ、１４Ｂ、２４Ａ、及び２４Ｂの幅は、貫通孔での圧力損失低減、枠本体の厚さとの関係等を考慮して適宜設定できるが、例えば例えば１０μｍ〜１．０ｍｍとすることができ、５０μｍ〜７００μｍが好ましく、１００μｍ〜６００μｍがより好ましく、２００μｍ〜５００μｍが特に好ましい。
また、貫通孔１４Ａ、１４Ｂ、２４Ａ、及び２４Ｂの長さは、貫通孔での圧力損失低減、等を考慮して適宜設定できるが、例えば０．５ｍｍ〜１０ｍｍとすることができ、０．７ｍｍ〜５．０ｍｍが好ましく、１．０ｍｍ〜２．０ｍｍがより好ましい。
ここで、貫通孔の幅とは、貫通孔からなる流路の流路幅を指し、貫通孔の長さとは、貫通孔からなる流路の流路長を指す。
【００３９】
枠本体１００（ペリクル枠）の材質には特に制限はなく、ペリクル枠に用いられる通常の材質とすることができる。
枠本体１００の材質として、具体的には、アルミニウム、アルミニウム合金（５０００系、６０００系、７０００系等）、ステンレス、シリコン、シリコン合金、鉄、鉄系合金、炭素鋼、工具鋼、セラミックス、金属−セラミックス複合材料、樹脂等が挙げられる。中でも、アルミニウム、アルミニウム合金が、軽量かつ剛性の面からより好ましい。
【００４０】
また、枠本体１００は、その表面に保護膜を有していてもよい。
保護膜としては、露光雰囲気中に存在する水素ラジカルおよびＥＵＶ光等に対して耐性を有する保護膜が好ましい。
保護膜としては、例えば、酸化被膜が挙げられる。
酸化被膜は、陽極酸化等の公知の方法によって形成することができる。
また酸化被膜は、黒色系染料によって着色されていてもよい。枠本体１００が黒色系染料によって着色された酸化被膜を有する場合には、枠本体１００上の異物の検出がより容易となる。
その他、枠本体１００のその他の構成については、例えば、特開２０１４−０２１２１７号公報、特開２０１０−１４６０２７号公報等の公知のペリクル枠の構成を適宜参照することができる。
【００４１】
（ペリクル枠の変形例）
以下、本実施形態の一例に係るペリクル枠の変形例について説明する。
枠本体１００は、一端面１０と他端面２０との両方に溝が設けられているが、他端面２０の溝は省略されていてもよい。
図４は、本実施形態の変形例に係るペリクル枠（枠本体）の部分断面図であり、図３の部分断面図に対応するものである。
図４に示す枠本体は、一端面１０にのみ、溝（溝１２）が設けられた例である。
【００４２】
また、図１〜図３に示した枠本体１００では、溝１２及び溝２２の形状が、それぞれ、枠本体１００の厚さ方向から見たときに、枠本体１００の４辺に渡って一周する無端形状となっているが、溝の形状はこの態様には限定されず、有端形状であってもよい。
図５は、溝の形状が有端形状である、本実施形態の変形例に係る枠本体１１０を概念的に示す斜視図である。
図５に示すように、枠本体１１０の一端面１０には、溝１１２が設けられている。枠本体の厚さ方向から見た溝１１２の形状は、枠本体１１０の４辺に渡って概ね一周する形状となっているが完全に一周する形状ではなく、端部１１６及び１１７を有する有端形状となっている。
枠本体１１０には、溝１１２の底面と外周面３０との間を貫通する貫通孔１１４Ａ及び１１４Ｂが設けられている。
図５では図示を省略したが、枠本体１１０の他端面には、枠本体１００の他端面２０と同様に、溝が設けられており、更に、他端面側の溝の壁面と外周面とを貫通する貫通孔が設けられている。
枠本体１１０において、上述した以外の構成は、枠本体１００の構成と同様である。
【００４３】
また、図１〜図３に示した枠本体１００では、１つの端面につき１つの溝が設けられているが、本実施形態では、１つの端面につき２つ以上の溝が設けられていてもよい。１つの端面につき２つ以上の溝が設けられている場合、２つ以上の溝のそれぞれに、上記貫通孔が接続されていることが好ましい（例えば、図６及び図７参照）。
また、枠本体が矩形形状である場合には、枠本体と他の部材との間の押し付け合う力をより効果的に働かせる観点から、枠本体の４辺に溝が存在することが好ましい。
ここで、「枠本体の４辺に溝が存在する」態様には、例えば、
枠本体の４辺に渡って１つの溝が設けられている態様（例えば、図１、図２、及び図５参照）、
枠本体の４辺のそれぞれにつき１つ以上の溝が設けられている態様（例えば、図７参照）、
枠本体の３辺に渡る２つの溝が各々設けられ、かつ、２つの溝が４辺に渡って設けられている態様（例えば、図６参照）、
等が含まれる。
【００４４】
図６は、本実施形態の変形例に係る枠本体２００を概念的に示す斜視図である。
図６に示すように、枠本体２００の一端面１０には、溝が２つ、即ち、溝２１２Ａ及び溝２１２Ｂが設けられている。枠本体２００には、溝２１２Ａ及び溝２１２Ｂのそれぞれの底面と、外周面３０と、の間を貫通する、貫通孔２１４Ａ及び２１４Ｂがそれぞれ設けられている。
なお、図６では図示を省略したが、枠本体２００の他端面には、枠本体１００の他端面２０と同様に、溝が設けられており、更に、他端面側の溝の壁面と外周面とを貫通する貫通孔が設けられている。
枠本体２００において、上述した以外の構成は、枠本体１００の構成と同様であり、好ましい範囲も同様である。
【００４５】
図７は、本実施形態の変形例に係る枠本体３００を概念的に示す斜視図である。
図７に示すように、枠本体３００の一端面１０には、溝が４つ、即ち、溝３１２Ａ、３１２Ｂ、３１２Ｃ、及び３１２Ｄが設けられている。枠本体３００には、溝３１２Ａ、３１２Ｂ、３１２Ｃ、及び３１２Ｄのそれぞれの底面と、外周面３０と、の間を貫通する、貫通孔３１４Ａ、３１４Ｂ、３１４Ｃ、及び３１４Ｄがそれぞれ設けられている。
なお、図７では図示を省略したが、枠本体３００の他端面には、枠本体１００の他端面２０と同様に、溝が設けられており、更に、他端面側の溝の壁面と外周面とを貫通する貫通孔が設けられている。
枠本体３００において、上述した以外の構成は、枠本体１００の構成と同様であり、好ましい範囲も同様である。
【００４６】
以上の変形例は、適宜、組み合わせることもできる。
また、枠本体１００、１１０、２００、３００のそれぞれの他端面２０に存在する溝２２の形状を、図５〜図７に示した一端面１０側の溝の形状に変更することもできる。
【００４７】
（その他の部材）
本実施形態のペリクル枠は、枠本体以外のその他の部材を備えていてもよい。
例えば、本実施形態のペリクル枠は、枠本体に加えて、更に、上記一端面に接する接着剤層を備えることができる。本実施形態のペリクル枠は、枠本体に加えて、更に、上記他端面に接する接着剤層を備えることもできる。
これらの接着剤層は、他の部材（ペリクル膜、原版、他のペリクル枠、等）との接着に用いられる層であり、接着剤を含む。
本実施形態において、「接着剤」は広義の接着剤を指し、「接着剤」の概念には、粘着剤も含まれるものとする。
接着剤としては、アクリル樹脂接着剤、エポキシ樹脂接着剤、ポリイミド樹脂接着剤、シリコーン樹脂接着剤、無機系接着剤、両面粘着テープ、シリコーン樹脂粘着剤、アクリル系粘着剤、ポリオレフィン系粘着剤、等が挙げられる。
ペリクル膜または他のペリクル枠との接着に用いられる接着剤としては、アクリル樹脂接着剤、エポキシ樹脂接着剤、ポリイミド樹脂接着剤、シリコーン樹脂接着剤、無機系接着剤、が好ましい。
原版との接着に用いられる接着剤としては、両面粘着テープ、シリコーン樹脂粘着剤、アクリル系粘着剤、ポリオレフィン系粘着剤が好ましい。
【００４８】
また、本実施形態のペリクル枠は、接着剤層上に、更に、剥離ライナー（剥離フィルムやセパレーターとも呼ばれている）を有していてもよい。剥離ライナーとしては、公知のものを特に制限なく用いることができる。
【００４９】
＜ペリクル＞
本実施形態のペリクルは、上述した本実施形態のペリクル枠である第１ペリクル枠と、上記第１ペリクル枠の上記枠本体の上記一端面の側に支持されたペリクル膜と、を備える。
本実施形態のペリクルは、本実施形態のペリクル枠を備えるので、本実施形態のペリクル枠と同様の効果を奏する。
具体的には、本実施形態のペリクルでは、第１ペリクル枠の一端面（ペリクル膜を支持する側の端面）に上述した溝が設けられている。このため、本実施形態のペリクルは、ペリクル膜及び第１ペリクル枠の各々の前面及び背面に接触することなく製造できるという効果（以下、「効果１」とする）を奏する。
また、本実施形態のペリクルにおいて、第１ペリクル枠の他端面に上述した溝が設けられている場合には、本実施形態のペリクルは、ペリクル及び原版の各々の前面及び背面に接触することなく露光原版を製造できるという効果（以下、「効果２」とする）を奏する。
【００５０】
上記ペリクル膜の材質には特に制限はなく、有機系材料であっても、無機系材料であっても、有機系材料と無機系材料との混合材料であってもよい。
有機系材料としては、フッ素系ポリマー等が挙げられる。
無機系材料としては、結晶シリコン（例えば、単結晶シリコン、多結晶シリコン、等）、ダイヤモンドライクカーボン（ＤＬＣ）、グラファイト、アモルファスカーボン、グラフェン、炭化ケイ素、窒化ケイ素、窒化アルミニウム等が挙げられる。
ペリクル膜は、上記材料を１種単独で含んでいてもよいし、２種以上を含んでいてもよい。
即ち、ペリクル膜としては、フッ素系ポリマー、結晶シリコン、ダイヤモンドライクカーボン、グラファイト、アモルファスカーボン、グラフェン、炭化ケイ素、窒化ケイ素、及び窒化アルミニウムからなる群から選択される少なくとも１種を含むペリクル膜が挙げられる。
中でも、ＥＵＶ光等に対し高い透過性を有し、かつ、ＥＵＶ光等の照射による分解及び変形を抑制できる点で、結晶シリコン、ダイヤモンドライクカーボン、グラファイト、アモルファスカーボン、グラフェン、炭化ケイ素、窒化ケイ素、及び窒化アルミニウムからなる群から選択される少なくとも１種の無機系材料を含むペリクル膜が好ましい。
一方、かかる無機系材料を含むペリクル膜は、非常に破れやすく、接触による傷及び発塵が生じやすい膜である。しかし、本実施形態によれば、ペリクル膜及び第１ペリクル枠の各々の前面及び背面に接触することなくペリクルを製造できるので、かかる無機系材料を含むペリクル膜を用いた場合であっても、接触によるペリクル膜の破れ、傷、発塵等を効果的に防止できる。
【００５１】
また、ペリクル膜の構成は、単層構成であっても、二層以上からなる構成であってもよい。
ペリクル膜の厚さ（二層以上からなる場合には総厚）は、例えば、１０ｎｍ〜２００ｎｍとすることができ、１０ｎｍ〜１００ｎｍが好ましく、１０ｎｍ〜７０ｎｍがより好ましく、１０ｎｍ〜５０ｎｍが特に好ましい。
ペリクル膜の厚さが薄いと（例えば２００ｎｍ以下であると）、ＥＵＶ光等に対する透過性に優れる。
一方、ペリクル膜の厚さが薄いと（例えば２００ｎｍ以下であると）、ペリクル膜が破れやすくなる傾向となる。しかし、本実施形態によれば、ペリクル膜及び第１ペリクル枠の各々の前面及び背面に接触することなくペリクルを製造できるので、厚さが薄い（例えば２００ｎｍ以下の）ペリクル膜を用いた場合であっても、ペリクル膜の破れを効果的に防止できる。
【００５２】
本実施形態のペリクルの好ましい態様は、上記第１ペリクル枠と上記ペリクル膜との間に、上記ペリクル膜に接する第２ペリクル枠を有する態様である。
この態様は、ペリクル膜が自立しにくい膜（例えば、シリコン結晶膜等の無機系材料を含むペリクル膜、厚さが薄いペリクル膜、等）である場合であっても、第２ペリクル枠によってペリクル膜の膜形状を保持しながらペリクルを製造できるという利点を有する。
【００５３】
上記第２ペリクル枠を有する態様のペリクルは、ペリクル膜と第２ペリクル枠との複合部材を含むことが好ましい。
上記第２ペリクル枠を有する態様のペリクルは、第１ペリクル枠と上記複合部材とを固定することによって好適に作製される。
上記複合部材の一例として、ペリクル膜としてのシリコン結晶膜と第２ペリクル枠としての枠形状のシリコン基板（例えばシリコンウェハ）とからなる複合部材が挙げられる。ペリクルの製造において、上記一例に係る複合部材を用いた場合には、第２ペリクル枠（枠形状のシリコン基板）によってペリクル膜（シリコン結晶膜）の膜形状を保持しながらペリクルを製造できる。
この一例に係る複合部材は、例えば、まず、シリコン基板上にシリコン結晶膜を形成し、次いで、このシリコン基板のシリコン結晶膜非形成面側から、シリコン基板の中央部をエッチングしてこの中央部のシリコン基板を除去することにより作製できる。この方法で作製された複合部材の上記中央部にはシリコン結晶膜のみが残り、この中央部のシリコン結晶膜がペリクル膜となる。中央部の周りの周辺部にはシリコン結晶膜及びシリコン基板が残り、この周辺部に残ったシリコン基板によって第２ペリクル枠が形成される。シリコン基板として円形状のシリコン基板（例えばシリコンウェハ）を用いた場合には、円形状のシリコン基板及びシリコン結晶膜は、第１ペリクル枠との貼り合わせ前又は貼り合わせ後において、第１ペリクル枠の外形状と同じ外形状にカットされることが好ましい。このカットする操作は、「トリミング」と呼ばれている。
なお、ペリクル膜と第２ペリクル枠との複合部材が、上記一例以外の複合部材である場合も同様の方法によって作製できる。
【００５４】
（ペリクルの一例）
次に、本実施形態のペリクルの一例を、図８を参照しながら説明する。但し、本実施形態のペリクルはこの一例によって限定されることはない。
図８は、本実施形態のペリクルの一例（ペリクル５００）の概略断面図である。
図８に示されるように、ペリクル５００の構成は、ペリクル膜４８０と第２ペリクル枠４８２との複合部材４９０と、第１ペリクル枠４２０と、を貼り合わせた構成となっている。
第１ペリクル枠４２０は、枠本体４００と、枠本体４００の一端面に接する接着剤層４６０と、枠本体４００の他端面に接する接着剤層４６２と、接着剤層４６２に接する剥離ライナー４７０と、を備えている。
枠本体４００は、厚さ方向の一端面及び他端面の両方に、それぞれ前述の枠本体１００と同様の溝を有している。更に、枠本体４００は、前述の枠本体１００と同様の貫通孔を有している。
第１ペリクル枠４２０の上記一端面は、前述の枠本体１００における一端面１０に対応する端面であり、第１ペリクル枠４２０の上記他端面は、前述の枠本体１００における他端面２０に対応する端面である。
【００５５】
ペリクル５００において、複合部材４９０と第１ペリクル枠４２０とは、複合部材４９０の第２ペリクル枠４８２と第１ペリクル枠４２０の接着剤層４６０とが接するように配置されている。
即ち、ペリクル５００は、枠本体４００を備える第１ペリクル枠４２０と、第１ペリクル枠４２０の枠本体４００の一端面の側に支持されたペリクル膜４８０と、を備えている。そして第１ペリクル枠４２０とペリクル膜４８０との間に、ペリクル膜４８０に接する第２ペリクル枠４８２を備えている。
【００５６】
ペリクル５００は、複合部材４９０と第１ペリクル枠４２０とを固定する（貼り合わせる）ことによって作製されることが好ましい。
この際、枠本体４００の一端面に設けられた溝の内部を、この溝に接続する貫通孔を通じて減圧することができるので、複合部材４９０及び第１ペリクル枠４２０の各々の前面及び背面に接触することなく、両者を固定することができる。
【００５７】
なお、第１ペリクル枠４２０における剥離ライナー４７０は、接着剤層４６２の露出面を保護するために設けられている。
ペリクル５００を用いて露光原版を作製する場合には、まず、ペリクル５００の第１ペリクル枠４２０から剥離ライナー４７０を除去することで接着剤層４６２を露出させ、次いで、露出した接着剤層４６２によって、ペリクルと原版とを固定する。
【００５８】
上記複合部材４９０としては、多結晶シリコン膜（ｐ−Ｓｉ膜）であるペリクル膜４８０とシリコン基板である第２ペリクル枠４８２との複合部材が好ましい。このような複合部材を製造する方法の例については、前述したとおりである。
上記枠本体４００としては、アルミニウム製又はアルミニウム合金製の枠部材が好ましい。
【００５９】
また、接着剤層４６０に含まれる接着剤としては、アクリル樹脂接着剤、エポキシ樹脂接着剤、ポリイミド樹脂接着剤、シリコーン樹脂接着剤、無機系接着剤が好ましい。
また、接着剤層４６２に含まれる接着剤としては、両面粘着テープ、シリコーン樹脂粘着剤、アクリル系粘着剤、ポリオレフィン系粘着剤が好ましい。
【００６０】
＜ペリクルの製造方法＞
本実施形態のペリクルの製造方法は、本実施形態のペリクル枠とペリクル膜とを、上記枠本体の上記一端面と上記ペリクル膜とが対向するように配置する配置工程と、上記外周面と上記一端面に設けられた溝の壁面との間を貫通する貫通孔を通じ、上記一端面に設けられた溝の内部を減圧することにより、上記ペリクル枠と上記ペリクル膜とを固定する固定工程と、を有する。
本実施形態のペリクルの製造方法によれば、前述したとおり、上記減圧により、ペリクル枠（枠本体）とペリクル膜との間に押し付け合う力を働かせることができるので、ペリクル枠及びペリクル膜の各々の前面及び背面に接触することなく、両者を固定することができる。
【００６１】
本実施形態のペリクルの製造方法において、固定工程における減圧は、ペリクル枠及びペリクル膜が加圧雰囲気下に配置された状態で行うことが好ましい。
この態様によれば、ペリクル枠及びペリクル膜が配置される全体の雰囲気の圧力と、溝の内部の圧力と、の差（差圧）をより大きくすることができるので、ペリクル枠とペリクル膜との間に生じる、押し付け合う力をより大きくすることができる。このため、両者をより容易に固定することができる。
上記押し付け合う力（ペリクル枠全体に加わる力）は、１Ｎ以上が好ましく、２Ｎ以上がより好ましい。
上記押し付け合う力（ペリクル枠全体に加わる力）は、１０Ｎ以上が更に好ましく、２０Ｎ以上が特に好ましい。
上記押し付け合う力（ペリクル枠全体に加わる力）の上限には特に制限はないが、生産性などの点からは、例えば５００Ｎ、好ましくは４００Ｎである。
【００６２】
上記製造方法において、前述の第２ペリクル枠を備えるペリクル（例えば前述のペリクル５００）を作製する場合には、上記配置工程は、本実施形態のペリクル枠である第１ペリクル枠と、前述した複合部材（ペリクル膜と第２ペリクル枠との複合部材）と、を第１ペリクル枠の枠本体の一端面とペリクル膜とが第２ペリクル枠を介して対向するように配置する工程であってもよい。
この場合のペリクルの製造方法は、本実施形態のペリクル枠である第１ペリクル枠と、ペリクル膜とこのペリクル膜に接する第２ペリクル枠とを含む複合部材と、を第１ペリクル枠の枠本体の一端面と複合部材の第２ペリクル枠とが対向するように配置する配置工程と、貫通孔を通じて溝の内部を減圧することにより、第１ペリクル枠とペリクル膜とを第２ペリクル枠を介して固定する固定工程と、を有する製造方法である。
【００６３】
＜露光原版＞
本実施形態の露光原版は、本実施形態のペリクルと、上記ペリクルの上記第１ペリクル枠の側に配置された原版と、を備える。
本実施形態の露光原版は、本実施形態のペリクルを備えるので、本実施形態のペリクルと同様の効果を奏する。
【００６４】
本実施形態の露光原版において、上記第１ペリクル枠の上記枠本体は、更に、厚さ方向の他端面に設けられた溝と、外周面と上記他端面に設けられた溝の壁面との間を貫通する貫通孔と、を有することが好ましい。この態様の露光原版は、ペリクル及び原版の各々の前面及び背面に接触することなく製造することができる。
【００６５】
ここで、原版としては、支持基板と、この支持基板上に積層された反射層と、反射層上に形成された吸収体層と、を含む原版を用いることができる。吸収体層がＥＵＶ光等を一部吸収することで、感応基板（例えば、フォトレジスト膜付き半導体基板）上に、所望の像が形成される。反射層は、モリブデン（Ｍｏ）とシリコン（Ｓｉ）との多層膜でありうる。吸収体層は、クロム（Ｃｒ）や窒化タンタル等、ＥＵＶ光等の吸収性の高い材料でありうる。
【００６６】
＜露光原版の製造方法＞
本実施形態の露光原版の製造方法は、本実施形態のペリクルであって、上記第１ペリクル枠の上記枠本体が、更に、厚さ方向の他端面に設けられた溝と、外周面と上記他端面に設けられた溝の壁面との間を貫通する貫通孔と、を有するペリクルと、原版と、を上記他端面と上記原版とが対向するように配置する配置工程と、上記外周面と上記他端面に設けられた溝の壁面との間を貫通する貫通孔を通じ、上記他端面に設けられた溝の内部を減圧することにより、上記ペリクルと上記原版とを固定する固定工程と、を有する。
本実施形態の露光原版の製造方法によれば、溝の内部の減圧により、ペリクルと原版との間に押し付け合う力を働かせることができるので、ペリクル及び原版の各々の前面及び背面に接触することなく、両者を固定できる。
【００６７】
本実施形態の露光原版の製造方法において、上記固定工程における上記減圧は、上記ペリクル及び上記原版が加圧雰囲気下に配置された状態で行うことが好ましい。
この態様によれば、ペリクル及び原版が配置される全体の雰囲気の圧力と、溝の内部の圧力と、の差（差圧）をより大きくすることができるので、ペリクルと原版との間の押し付け合う力をより大きくすることができる。このため、両者をより容易に固定することができる。
ペリクルと原版との間の押し付け合う力（ペリクル枠全体に加わる力）は、１Ｎ以上が好ましく、２Ｎ以上がより好ましい。
ペリクルと原版との間の押し付け合う力（ペリクル枠全体に加わる力）は、１０Ｎ以上が更に好ましく、２０Ｎ以上が特に好ましい。
ペリクルと原版との間の押し付け合う力（ペリクル枠全体に加わる力）の上限には特に制限はないが、生産性などの点からは、例えば５００Ｎ、好ましくは４００Ｎである。
【００６８】
＜露光装置＞
本実施形態の露光装置は、本実施形態の露光原版を備える。
このため、本実施形態の露光原版と同様の効果を奏する。
【００６９】
本実施形態の露光装置は、露光光（好ましくはＥＵＶ光等、より好ましくはＥＵＶ光。以下同じ。）を放出する光源と、本実施形態の露光原版と、上記光源から放出された露光光を上記露光原版に導く光学系と、を備え、上記露光原版は、上記光源から放出された露光光が上記ペリクル膜を透過して上記原版に照射されるように配置されていることが好ましい。
この態様によれば、ＥＵＶ光等によって微細化されたパターン（例えば線幅３２ｎｍ以下）を形成できることに加え、露光光として異物による解像不良が問題となり易いＥＵＶ光等を用いた場合であっても、異物による解像不良が低減されたパターン露光を行うことができる。
【００７０】
＜半導体装置の製造方法＞
本実施形態の半導体装置の製造方法は、光源から放出された露光光を、本実施形態の露光原版の上記ペリクル膜を透過させて上記原版に照射し、上記原版で反射させるステップと、上記原版によって反射された露光光を、上記ペリクル膜を透過させて感応基板に照射することにより、上記感応基板をパターン状に露光するステップと、を有する。
本実施形態の半導体装置の製造方法によれば、露光光として異物による解像不良が問題となり易いＥＵＶ光等を用いた場合であっても、異物による解像不良が低減された半導体装置を製造することができる。
【００７１】
図９は、本実施形態の露光装置の一例である、ＥＵＶ露光装置８００の概略断面図である。
図９に示されるように、ＥＵＶ露光装置８００は、ＥＵＶ光を放出する光源８３１と、本実施形態の露光原版の一例である露光原版８５０と、光源８３１から放出されたＥＵＶ光を露光原版８５０に導く照明光学系８３７と、を備える。
露光原版８５０は、ペリクル膜８１２及びペリクル枠８１４を含むペリクル８１０と、原版８３３と、を備えている。この露光原版８５０は、光源８３１から放出されたＥＵＶ光がペリクル膜８１２を透過して原版８３３に照射されるように配置されている。
原版８３３は、照射されたＥＵＶ光をパターン状に反射するものである。
ペリクル枠８１４及びペリクル８１０は、それぞれ、本実施形態のペリクル枠及びペリクルの一例である。
【００７２】
ＥＵＶ露光装置８００において、光源８３１と照明光学系８３７との間、及び照明光学系８３７と原版８３３の間には、フィルター・ウィンドウ８２０及び８２５がそれぞれ設置されている。
また、ＥＵＶ露光装置８００は、原版８３３が反射したＥＵＶ光を感応基板８３４へ導く投影光学系８３８を備えている。
【００７３】
ＥＵＶ露光装置８００では、原版８３３により反射されたＥＵＶ光が、投影光学系８３８を通じて感応基板８３４上に導かれ、感応基板８３４がパターン状に露光される。なお、ＥＵＶによる露光は、減圧条件下で行われる。
【００７４】
ＥＵＶ光源８３１は、照明光学系８３７に向けて、ＥＵＶ光を放出する。
ＥＵＶ光源８３１には、ターゲット材と、パルスレーザー照射部等が含まれる。このターゲット材にパルスレーザーを照射し、プラズマを発生させることで、ＥＵＶが得られる。ターゲット材をＸｅとすると、波長１３ｎｍ〜１４ｎｍのＥＵＶが得られる。ＥＵＶ光源が発する光の波長は、１３ｎｍ〜１４ｎｍに限られず、波長５ｎｍ〜３０ｎｍの範囲内の、目的に適した波長の光であればよい。
【００７５】
照明光学系８３７は、ＥＵＶ光源８３１から照射された光を集光し、照度を均一化して原版８３３に照射する。
照明光学系８３７には、ＥＵＶの光路を調整するための複数枚の多層膜ミラー８３２と、光結合器（オプティカルインテグレーター）等が含まれる。多層膜ミラーは、モリブデン（Ｍｏ）、シリコン（Ｓｉ）が交互に積層された多層膜等である。
【００７６】
フィルター・ウィンドウ８２０，８２５の装着方法は特に制限されず、接着剤等を介して貼り付ける方法や、機械的にＥＵＶ露光装置内に固定する方法等が挙げられる。
光源８３１と照明光学系８３７との間に配置されるフィルター・ウィンドウ８２０は、光源から発生する飛散粒子（デブリ）を捕捉し、飛散粒子（デブリ）が照明光学系８３７内部の素子（例えば多層膜ミラー８３２）に付着しないようにする。
一方、照明光学系８３７と原版８３３との間に配置されるフィルター・ウィンドウ８２５は、光源８３１側から飛散する粒子（デブリ）を捕捉し、飛散粒子（デブリ）が原版８３３に付着しないようにする。
【００７７】
また、原版に付着した異物は、ＥＵＶ光を吸収、もしくは散乱させるため、ウエハへの解像不良を引き起こす。したがって、ペリクル８１０は原版８３３のＥＵＶ照射エリアを覆うように装着されている。ＥＵＶ光はペリクル膜８１２を通過して、原版８３３に照射される。
【００７８】
原版８３３で反射されたＥＵＶ光は、ペリクル膜８１２を通過し、投影光学系８３８を通じて感応基板８３４に照射される。
投影光学系８３８は、原版８３３で反射された光を集光し、感応基板８３４に照射する。投影光学系８３８には、ＥＵＶの光路を調製するための複数枚の多層膜ミラー８３５、８３６等が含まれる。
【００７９】
感応基板８３４は、半導体ウエハ上にレジストが塗布された基板等であり、原版８３３によって反射されたＥＵＶにより、レジストがパターン状に露光される。このレジストを現像し、半導体ウエハのエッチングを行うことで、半導体ウエハに所望のパターンを形成する。
【００８０】
２０１４年５月２日に出願された日本国特許出願２０１４−０９５４２５の開示はその全体が参照により本明細書に取り込まれる。
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図２】
2015166927.tif 000003
【図３】
2015166927.tif 000004
【図５】
2015166927.tif 000005
【図１】
2015166927.tif 000006
【図４】
2015166927.tif 000007
【図６】
2015166927.tif 000008
【図７】
2015166927.tif 000009
【図８】
2015166927.tif 000010
【図９】
2015166927.tif 000011
【国際調査報告】
2015166927.tif 000012
2015166927.tif 000013
2015166927.tif 000014
2015166927.tif 000015